(57)【要約】【課題】ポケットに重量の重い物を入れても基布が傾かず、ベッドに安定して取り付けることができ、ティッシュを取り出しやすく、また内容物を確認することのできるベッド用収納ポケットおよびその取付金具並びにその取り付け方法を提供する。【解決手段】ベッドのヘッドボード１０ないしパイプに取り付け可能な基布１を、内部または裏側に芯材を有する構成として剛性を持たせる。この基布１の正面に、正面側にティッシュペーパー取り出し口５を有するティッシュボックス収納体４と、複数の物品収納用のポケット７−１〜７−５とを設け、かつ複数のポケットのうち、少なくとも一つのポケット７−２を、メッシュ布地で形成して、外部から内容物が見えるようにする。【選択図】  図１
2005131368.tif 000002
【特許請求の範囲】
【請求項１】
内部または裏側に芯材を有し、ベッドのヘッドボードないしパイプに取り付け可能な基布を備え、
この基布の正面に、正面側にティッシュペーパー取り出し口を有するティッシュボックス収納体と、複数の物品収納用のポケットとを設け、
かつ前記複数のポケットのうち、少なくとも一つのポケットを、メッシュ布地で形成したことを特徴とするベッド用収納ポケット。
【請求項２】
前記基布の上部の複数箇所および両側部に、ベッドのヘッドボードないしパイプに前記基布を取り付けるための取付金具ないし取付ベルトを通す吊り下げ用穴およびベルト通し穴をそれぞれ設けたことを特徴とする請求項１記載のベッド用収納ポケット。
【請求項３】
前記基布の両側部に端部が取り付けられた、締め付け可能な横ベルトを前記基布の背面に設け、且つ、前記横ベルトの中途部に、前記基布の背面より上部に延出する状態に取り付けられた複数の縦ベルトの端部を結合したことを特徴とする請求項１記載のベッド用収納ポケット。
【請求項４】
前記ティッシュボックス収納体の背面の上部のみを前記基布に固定し、下部を面ファスナーで前記基布に着脱可能に取り付けたことを特徴とする請求項１から３のいずれかの項に記載のベッド用収納ポケット。
【請求項５】
前記基布と、前記ティッシュボックス収納体および前記複数の物品収納用のポケットとを任意着脱式としたことを特徴とする請求項１から３のいずれかの項に記載のベッド用収納ポケット。
【請求項６】
請求項２記載のベッド用収納ポケットをベッドのヘッドボードに取り付けるための取付金具であって、所定間隔をおいて相対峙した２つの逆Ｕ字形部分と、この２つの逆Ｕ字形部分の少なくとも一方の開放端どうしを連結する水平部分と、前記２つの逆Ｕ字形部分の頂部同士を連結する、前記水平部分と平行な連結部とを有することを特徴とする取付金具。
【請求項７】
請求項６記載の取付金具を用いて請求項２記載のベッド用収納ポケットをベッドのヘッドボードに取り付けるベッド用収納ポケットの取り付け方法であって、
前記ベッド用収納ポケットの前記基布の上部の吊り下げ用穴と前記ベッドのヘッドボードの上部に装着される前記取付金具の連結部との間に、両端部に互いに付着し合う雌雄の面ファスナーを有する帯状の吊り下げバンドを通し、その後、前記吊り下げバンドを環にして両端の前記雌雄の面ファスナーを付着させることを特徴とするベッド用収納ポケットの取り付け方法。
【請求項８】
前記基布の背面に、補助基布を前記基布に対して屈曲自在に設けて、前記ベッドのヘッドボードないしパイプに跨るようにして取り付け可能とし、前記基布と前記補助基布とを、前記ベッドのヘッドボードないしパイプの側部において、固定バンドにより締め付け固定するようにしたことを特徴とする請求項１記載のベッド用収納ポケット。
【請求項９】
前記基布の上端よりも低い位置で前記補助基布を取り付けたことを特徴とする請求項８記載のベッド用収納ポケット。
【請求項１０】
前記ティッシュボックス収納体は、基端部が前記基布の前面の高さ方向の中途部に水平方向に固定され、中間部にティッシュペーパー取り出し口を有し、先端部に、前記基布の上部裏側に設けた面ファスナーに付着するための面ファスナーを設けた１枚の部材で構成したことを特徴とする請求項８または９に記載のベッド用収納ポケット。
【発明の詳細な説明】
【技術分野】
【０００１】
本発明は、病院の入院患者や介護施設あるいは在宅の被介護者が使用するベッドに取り付けるベッド用収納ポケットおよびその取付金具並びにその取り付け方法に関する。
【背景技術】
【０００２】
患者用ベッドや介護ベッド（以下、単にベッドという）のヘッドボードは薄いので、その上に物を置くスペースがない。施設等では、ベッドの近くに整理棚が置かれていることがあるが、整理棚に置いた物を患者や被介護者が手に取る場合には、手を伸ばすか、ベッドから起き上がって取る必要がある。寝たまま手を伸ばす場合は、体をベッドの片側に寄せて無理に手を伸ばそうとすると、ベッドから落ちそうになることがあり、不便であるとともに危険でもある。
このため、手が届く範囲に物があると安心できるので、介護ベッドの枕の周りに物が散在していることが多い。
【０００３】
このような問題を解消するために、例えば実用新案登録第３０２７２６７号公報（特許文献１）に開示された病院ベッド枕元小物入れがある。これを図１４に示す。同図に示されているように、従来の病院ベッド枕元小物入れは、基布１０１、ポケット部１０２、紐１０３より構成されている。この小物入れの紐１０３をベッドの頭部のパイプに結び付け、基布１０１を垂下して、ポケット１０２に患者の身の回り品を収納する。これにより、患者は、あまり体を動かさずに身の回り品の取り出し、片付けを容易に行うことができる。
【０００４】
【特許文献１】実用新案登録第３０２７２６７号公報
【発明の開示】
【発明が解決しようとする課題】
【０００５】
しかしながら、上述した従来のベッド用小物入れには、次のような問題点があった。
（１）ポケットは、ベースとなっている基布に設けられるが、基布には芯になるものがなく剛性が低い。そのため、ポケットに物を入れると傾くことがある。この症状は重量の重い物をポケットに入れると顕著にあらわれる。
（２）ベッド用収納ポケットは、上部に設けた紐のみでベッドの手摺りに取り付けるので、安定性が悪い。そのため、ポケットに物を入れるときも、ポケットから物を取り出すときもポケットが安定せず、収納、取り出しがしにくい。
（３）病院の患者などは、ティッシュをよく使うが、単にティッシュボックスをポケットに入れるだけでは、使用の都度、ティッシュボックスをポケットからいちいち取り出す必要があり面倒である。
（４）入れるものを決めてあるポケットを除いて、入れるものに指定のないポケットは、入れたものが何であるかを知るためにはいちいちポケットから取り出さなければならず、面倒である。
そこで本発明は、ポケットに重量の重い物を入れても基布が傾かず、ベッドに安定して取り付けることができ、ティッシュを取り出しやすく、また内容物を確認することのできるベッド用収納ポケットおよびその取付金具並びにその取り付け方法を提供することを目的とする。
【課題を解決するための手段】
【０００６】
前記課題を解決するため、本発明の第１の構成は、内部または裏側に芯材を有し、ベッドのヘッドボードないしパイプに取り付け可能な基布を備え、この基布の正面に、正面側にティッシュペーパー取り出し口を有するティッシュボックス収納体と、複数の物品収納用のポケットとを設け、かつ前記複数のポケットのうち、少なくとも一つのポケットを、メッシュ布地で形成したベッド用収納ポケットである。
この第１の構成においては、ベースとなる基布は、内部または裏側に芯材を有しているので、基布の形状が安定しており、ポケットに重量物や大きな物を入れても基布が変形したり沈んだりしない。患者や被介護者がよく使用するティッシュペーパーをティッシュボックス収納体に収納でき、また正面にティッシュペーパー取り出し口を設けているので、寝たままでもティッシュペーパーを容易に取り出すことができる。また、メッシュ布地で形成したポケットがあるので、内容物を外側から確認することができる。
【０００７】
本発明の第２の構成は、第１の構成において、前記基布の上部の複数箇所および両側部に、ベッドのヘッドボードないしパイプに前記基布を取り付けるための取付金具ないし取付ベルトを通す吊り下げ用穴およびベルト通し穴をそれぞれ設けたベッド用収納ポケットである。
この第２の構成においては、吊り下げ用穴およびベルト通し穴に取付金具ないし取付ベルトを通すことで、ベッドのヘッドボードないしパイプにベッド用収納ポケットを取り付けることができる。
【０００８】
本発明の第３の構成は、第１の構成において、前記基布の両側部に端部が取り付けられた、締め付け可能な横ベルトを前記基布の背面に設け、且つ、前記横ベルトの中途部に、前記基布の背面より上部に延出する状態に取り付けられた複数の縦ベルトの端部を結合したベッド用収納ポケットである。
この第３の構成においては、基布がヘッドボードないしパイプの表側に、横ベルトがその裏側に来るように装着し、横ベルトを締め付けると、基布の幅方向がヘッドボードないしパイプの表側に張られ、また縦ベルトがヘッドボードないしパイプの上部を跨ぐように表側から裏側に張られるため、取付金具や取付ベルトを用いずに、基布を張った状態で取り付けることができる。
【０００９】
本発明の第４の構成は、第１ないし第３の構成において、前記ティッシュボックス収納体の背面の上部のみを前記基布に固定し、下部を面ファスナーで前記基布に着脱可能に取り付けたベッド用収納ポケットである。
この第４の構成において、ティッシュボックス収納体は、ティッシュボックスを収納した状態では基布の正面から突き出た状態になり、ベッドの背上げをするときにティッシュボックス収納体が邪魔になるが、ティッシュボックス収納体が上部の固定部を基点として跳ね上がるようにすると、背上げの邪魔にならない。
【００１０】
本発明の第５の構成は、第１ないし第３の構成において、前記基布と、前記ティッシュボックス収納体および前記複数の物品収納用のポケットとを任意着脱式としたことを特徴とするベッド用収納ポケットである。
この第５の構成において、基布とティッシュボックス収納体および各ポケットを、面ファスナーやホック等で任意着脱式とすることにより、必要に応じて着脱したり、また患者や被介護者の体の状態（片麻痺など）に応じてティッシュボックス収納体の位置を最適な位置に変えることができる。
【００１１】
本発明の第６の構成は、第２の構成のベッド用収納ポケットをベッドのヘッドボードに取り付けるための取付金具であって、所定間隔をおいて相対峙した２つの逆Ｕ字形部分と、この２つの逆Ｕ字形部分の頂部同士を連結する連結部とを有する取付金具である。
この第６の構成において、逆Ｕ字形部分はベッドのヘッドボードの上部に装着する部分であり、連結部は、第２の構成のベッド用収納ポケットの上部の通し穴との間に吊り下げバンドを通して固定するための部分である。
【００１２】
本発明の第７の構成は、第６の構成の取付金具を用いて第２の構成のベッド用収納ポケットをベッドのヘッドボードに取り付けるベッド用収納ポケットの取り付け方法であって、前記ベッド用収納ポケットの前記基布の上部の通し穴と前記ベッドのヘッドボードの上部に装着される前記取付金具の連結部との間に、両端部に互いに付着し合う雌雄の面ファスナーを有する帯状の吊り下げバンドを通し、その後、前記吊り下げバンドを環にして両端の前記雌雄の面ファスナーを付着させるベッド用収納ポケットの取り付け方法である。
この第７の構成において、吊り下げバンドの端部に面ファスナーを設けて、取付金具の連結部と基布上部の通し穴に吊り下げバンドを通し、端部を付着させることで、基布を弛みなく、安定してベッドのヘッドボードに取り付けることができる。
【００１３】
本発明の第８の構成は、第１の構成において、前記基布の背面に、補助基布を前記基布に対して屈曲自在に設けて、前記ベッドのヘッドボードないしパイプに跨るようにして取り付け可能とし、前記基布と前記補助基布とを、前記ベッドのヘッドボードないしパイプの側部において、固定バンドにより締め付け固定するようにしたことを特徴とするベッド用収納ポケットである。
この第８の構成において、基布と補助基布によりベッドのヘッドボードないしパイプに跨るようにベッド用収納ポケットを取り付けることができるため、別体としての取付金具等の部材を要しない。
【００１４】
本発明の第９の構成は、第８の構成において、前記基布の上端よりも低い位置で前記補助基布を取り付けたことを特徴とするベッド用収納ポケットである。
この第９の構成において、基布の上端位置は、補助基布の上端位置よりも高くなり、基布に設けられる収納ポケットやティッシュボックス収納体の高さが高くなるので、ベッドの背上げの際に、ベッドの端の部分が収納ポケットおよびティッシュボックス収納体の部分に当たらないようになるため、背上げが支障なく行える。
【００１５】
本発明の第１０の構成は、第８または第９の構成において、前記ティッシュボックス収納体は、基端部が前記基布の前面の高さ方向の中途部に水平方向に固定され、中間部にティッシュペーパー取り出し口を有し、先端部に、前記基布の上部裏側に設けた面ファスナーに付着するための面ファスナーを設けた１枚の部材で構成したベッド用収納ポケットである。
この第１０の構成において、１枚の部材で、ティッシュボックスを下側から包み込むようにして巻いていく方式にしているため、袋状のタイプに比べて製作が簡単であり、ティッシュの収納がやり易く、またティッシュボックスのサイズが少し異なっても対応することができる。
【発明の効果】
【００１６】
本発明によれば、次の効果を奏する。
（１）ポケットは、ベースとなっている基布に設けられるが、基布には芯材が設けられているので、剛性が高い。そのため、ポケットに物を入れても傾くことがない。したがって、ポケットの物が安定し、出し入れしやすい。
（２）ティッシュをティッシュボックス収納体に入れた状態でティッシュ取り出し口から簡単に取り出すことができ身体に負担をかけない。
（３）一部のポケットをメッシュ布地にしているので、ポケットの中の物を外から簡単に確認することができる。
（４）ベッド用収納ポケットは、全体をしっかりとベッドの手摺りに取り付けるので、安定性がよい。したがって、ぶらぶらすることがなくそのため、ポケットに物を入れるときも、ポケットから物を取り出すときもポケットが安定して使いやすい。
（５）ティッシュボックス収納体を動けるように取り付けているので、ベッドの背上げの際に邪魔にならない。
（６）ティッシュボックス収納体やポケットの取り付け位置を自由に変えることができるので、使用者の体の状態（片麻痺など）に応じてティッシュボックスの位置を最適な位置に変えることができる。
（７）取付金具を用いることで、基布を弛みなくベッドのヘッドボードに取り付けることができる。
（８）基布と補助基布によりベッドのヘッドボードないしパイプに跨るようにベッド用収納ポケットを取り付ける構成とすることにより、別体としての取付金具等の部材を要しない。
（９）基布の上端位置を、補助基布の上端位置よりも高くすることにより、基布に設けられる収納ポケットやティッシュボックス収納体の高さが高くなるので、ベッドの背上げが支障なく行える。
（１０）ティッシュボックス収納体を１枚の部材で構成することにより、ティッシュボックスを下側から包み込むようにして巻いていくことができ、袋状のタイプに比べて製作が簡単であり、ティッシュの収納がやり易く、またティッシュボックスのサイズが少し異なっても対応することができる。
【発明を実施するための最良の形態】
【００１７】
以下、本発明の実施の形態を、図１〜図１３を用いて説明する。
［第１実施形態］
図１は本発明の第１実施形態の取付状態を示す斜視図、図２（ａ）はベッド用収納ポケットの正面図、（ｂ）はその背面図である。
本実施形態のベッド用収納ポケットのベースとなる基布１は、内部または裏面に芯材が設けられており、それ自体で剛性が高い構成となっている。芯材としては、板状、枠状、網状のものが使用でき、材質としては、プラスチック、金属、厚紙、木材等が使用できる。なお、芯材は、中央部で２つ折りにできるように分割して設けることもできる。また、芯材を基布１から取り出すことができるようにすれば、基布１を洗濯することができる。
【００１８】
基布１の上部の複数箇所には吊り下げ用穴２が設けられ、また両側部にはベルト通し穴３が設けられている。基布１の表面には、ティッシュボックス収納体４が設けられ、市販のティッシュペーパーの箱が収納できるようになっており、その正面にはティッシュ取り出し口５が設けられている。ティッシュボックス収納体４の収納口は図１に示すように側部に設けるか、図２（ａ）に示すように上部に設けるか、いずれでもよく、その収納口には面ファスナー等で着脱可能なカバー６が設けられている。
また、基布１には、各種ポケット７−１〜７−５が設けられているが、そのうちの一つ、例えば幅が一番広いポケット７−２は外部から内容物が透視できるようにメッシュ布地で形成されている。他の小さいポケットは、メガネ、テレビのリモコン等、決まった物を入れるようにすることができる。メッシュ布地で形成された大きなポケット７−２には、不定の物、例えば読みかけの本や使用中の薬等を入れておくことで、中からいちいち取り出すことなく中に何が入っているかを確認することができ、また必要な物がどこに入っているかを探す必要がなくなる。
【００１９】
このベッド用収納ポケットをベッドのヘッドボード１０に取り付けるには、基布１の上部の吊り下げ用穴２を取付金具８のフックに掛け、側部はヘッドボード１０の裏側を通すベルト９の端部をベルト通し穴３に通して締め付けることにより取り付ける。このときの断面図を図３に示す。
以上は、ベッドにヘッドボードが取り付けられている場合であるが、ベッドの頭部側がパイプ製の場合は、図４に示すように、吊り下げ用穴２に面ファスナー付きバンド１２を通してパイプ１１に巻き付けて止め、基布１の両側のベルト通し穴３にもバンド１２を通してパイプ１１の側部に巻き付けて止める。
このようにして、ベッド用収納ポケットをベッドに取り付けることができる。
【００２０】
［第２実施形態］
図５は、本発明の第２実施形態を示すもので、（ａ）は正面図、（ｂ）は背面図、（ｃ）はベルト端部の着脱状態を示す背面側の要部斜視図である。
この第２実施形態では、ベッドのヘッドボードないしパイプとの取り付け方が第１実施形態と異なる。第１実施形態では、基布１の上部に吊り下げ用穴２、両側部にベルト通し穴３を設けたが、本実施形態では、取付金具８を用いず、ベルトのみで取り付けるようにしている。
【００２１】
すなわち、図５（ｂ），（ｃ）に示すように、基布１の背面側において、基布１の両側部に横ベルト結合ベルト１３の端部を取り付け、この横ベルト結合ベルト１３の途中に、スライド可能な可動側バックル１４ａを取り付けている。横ベルト１５の両端部には固定側バックル１４ｂが取り付けられており、可動側バックル１４ａと結合できるようになっている。可動側バックル１４ａと固定側バックル１４ｂとで、バックル１４を構成している。横ベルト１５には、基布１の背面より上部に延出する状態に縫い付けられた複数の縦ベルト１６の端部が縫い付けられている。
【００２２】
以上の構成の第２実施形態に係るベッド用収納ポケットをベッドのヘッドボードないしパイプに取り付けるには、横ベルト結合ベルト１３を緩めた状態またはバックル１４を分離した状態で、基布１がベッド側、横ベルト１５が背面側になるようにベッドのヘッドボードないしパイプに被せ、バックル１４が分離しているときは結合して横ベルト結合ベルト１３を締め付ける。これにより、横ベルト１５が張って、基布１は固定される。基布１の垂直方向は縦ベルト１６が支持するので、ベッド用収納ポケットはベッドボードないしパイプに強固に取り付けられる。
【００２３】
［第３実施形態］
本発明の第３実施形態のベッド用収納ポケットは、図１ないし図５に示した実施形態におけるティッシュボックス収納体４の背面の上部のみを基布１に固定し、下部を面ファスナーで基布１に着脱可能に取り付けたものである。
第１ないし第２実施形態では、ティッシュボックス収納体４は、背面全体が基布１に付着されているため、ティッシュボックスを収納した状態では基布の正面から突き出た状態になる。そうすると、ベッドの背上げをするときにティッシュボックス収納体４が邪魔になる。そこで本実施形態のように、ティッシュボックス収納体４の上部のみを縫い付けるなどして固定し、それ以外は面ファスナーで基布１に付着させておくことで、ベッドの背上げ時に、ティッシュボックス収納体４が上部の固定部を基点として跳ね上がるようにすると、邪魔にならない。またティッシュボックス用収納体４やティッシュボックスが損傷を受けることはない。
【００２４】
［第４実施形態］
本発明の第４実施形態は、第１および第２実施形態における基布１と、ティッシュボックス収納体４および複数の物品収納用のポケット７−１，７−２，・・・とを任意着脱式としたものである。すなわち、基布１とティッシュボックス収納体４および各ポケット７−１，７−２，・・・を、面ファスナーやホック等で任意着脱式とすることにより、必要に応じて着脱することができる。特に、ティッシュボックス収納体４は、患者や被介護者がベッドで寝た状態でもよく使用するが、患者によっては片方の手が不自由な場合があり、利き腕の方にティッシュボックス収納体４があった方が便利な場合がある。そこで、これらの位置を自由に変えられるように着脱式にすることで、患者の好みや体の状況に応じた最適な位置に配置することができる。
【００２５】
［第５実施形態］
図６は、本発明の第５実施形態に係る取付金具を示すものである。図６（ａ）は、鋼線を曲げて形成した取付金具２０を示すものであり、２つの逆Ｕ字形部分２１，２２と、これらの逆Ｕ字形部分２１，２２の両基部同士を連結する水平部２３，２４と、逆Ｕ字形部分２１，２２の頂部同士を連結する連結部２５とを有している。２１〜２４の部分は１本の鋼線を曲げて形成でき、連結部２５は溶接等で逆Ｕ字形部分２１，２２の頂部に取り付ける。
図６（ｂ）は、同じく鋼線を曲げて形成した取付金具３０を示すもので、逆Ｕ字形部分３１，３２と、この逆Ｕ字形部分３１，３２の一方の端部からヘアピン状に折り曲げられた逆Ｊ字形部分３３，３４と、逆Ｊ字形部分３３，３４の先端部同士を逆Ｕ字形部分３１，３２の頂部付近で連結する連結部３５とを有している。この取付金具３０は、溶接等を用いずに、一本の鋼線を曲げて連結部３５を製作できる。
図６（ｃ）は、鋼板を打ち抜きおよび曲げ加工して形成した取付金具４０を示すもので、連結部４１と開口部４２を有している。
以上の構成に共通することは、取付金具２０，３０，４０には、ベッドのヘッドボードないしパイプに装着する逆Ｕ字形部分の頂部に、連結部２５，３５，４１を有していることである。このような構成を有するものであれば、図６に示した例以外の構成でもよい。
【００２６】
次に、この取付金具を用いたベッド用収納ポケットの取り付け方法を、取付金具２０を例にして説明するが、他の取付金具３０，４０を用いた場合も同様である。
図７は取付金具２０によりベッドボード１０に取り付けられた基布１の要部を示す斜視図、図８はその拡大断面図である。
まず、図７に示すようにヘッドボード１０に取付金具２０を上から装着する。その場所は、基布１の上部に設けられた吊り下げ用穴２の位置と合わせる。次いで、両端部に互いに付着し合う雌雄の面ファスナーを有する帯状の吊り下げバンド５０の一方をヘッドボード１０の上部と連結部２５の間を通し、吊り下げバンド５０の他方を、基布１の裏側から基布１の吊り下げ用穴２に通す。最後に、吊り下げバンド５０の一方の端部と他方の端部引き付け、端部を重ね合わせて面ファスナーに付着し、止める。これを、二つの吊り下げ用穴２について行えば、基布１はしっかりとヘッドボードに取り付けられる。
【００２７】
なお、第１実施形態では、引っ掛け用フックを有する取付金具８をベッドのヘッドボード１０に付けた後に、基布１の吊り下げ用穴２にフックを通す際、穴周囲の剛性の面で、吊り下げ用穴２をあまり大きくできないので通しにくいが、本実施形態のように吊り下げバンドの場合は、取付金具２０をベッドのヘッドボード１０に付けた後でも、取付金具２０に基布１をきわめて簡単に取り付けることができる。
また、第１実施形態では、取付金具８のフックの曲げ位置が構造上余り高くできず、基布１の吊り下げ用穴２の位置を下げると基布１の上部が弛んだり前倒れになるという問題があるが、第３実施形態では、吊り下げ用穴２の上部に位置する基布１の部分も吊り下げ用バンド５０で縛り付けるので、基布１の弛みや前倒れを防止できるというメリットもある。
【００２８】
［第６実施形態］
図９〜図１３は、本発明の第６実施形態を示すものであり、図９は本発明の第６実施形態に係るベッド用収納ポケットを示す正面図、図１０はその背面図、図１１はその平面図、図１２はその側面図、図１３は本実施形態に係るティッシュボックス収納体の斜視図である。
これらの図において、本実施形態のベッド用収納ポケットは、基布６１の背面に、芯材入りの補助基布６２を、基布６１に対して屈曲自在に設けて、ベッドの頭部側ボード（ヘッドボード）１０ないしパイプに跨るようにして取り付け可能としたものである。基布６１と補助基布６２とは、ヘッドボード１０ないしパイプの側部において、固定バンド６３により締め付け固定する。固定バンド６３の裏面には面ファスナー６４が設けられており、補助基布６２の裏面に設けられた面ファスナー６５と接着して止めることができるようになっている。これにより、ヘッドボード１０の幅が異なるベッドにおいても、自由度をもって、ベッド用収納ポケットをしっかり取り付けることができる。
なお、本実施形態では、基布６１と補助基布６２の両側部が塞がっていない例を示しているが、基布６１と補助基布６２の両側部が袋状に塞がっていてもよい。
【００２９】
基布６１の表面には、ティッシュボックス収納体６６が設けられ、市販のティッシュペーパーの箱が収納できるようになっており、その正面にはティッシュ取り出し口６７が設けられている。また、基布６１には、各種ポケット６８−１〜６８−５が設けられているが、そのうちの一つ、例えば幅が一番広いポケット６８−２は外部から内容物が透視できるようにメッシュ布地で形成されている。他の小さいポケットは、メガネ、テレビのリモコン等、決まった物を入れるようにすることができる。メッシュ布地で形成された大きなポケット６８−２には、不定の物、例えば読みかけの本や使用中の薬等を入れておくことで、中からいちいち取り出すことなく中に何が入っているかを確認することができ、また必要な物がどこに入っているかを探す必要がなくなる。
【００３０】
本実施形態においては、基布６１の上端に対して補助基布６２の上端が低くなるように、補助基布６２を基布６１に縫い付けて止めている。具体的には、図１２に示すように、側断面がｈ形をしており、背の高い「Ｉ」の部分が基布６１になって、ティッシュボックス収納体６６および収納ポケット６８−１〜６８−５が配置される。また背の低い「ｎ」の部分が補助基布６２になって、ベッドのヘッドボード１０に跨って固定される。このような構成にすると収納ポケット６８−１〜６８−５の部分の高さが高くなるので、ベッドの背上げの際に、ベッドの端の部分が収納ポケット６８−１〜６８−５、および、特に出っ張ったティッシュボックス収納体６６の部分に当たらないようになる。
なお、本実施形態では補助基布６２を基布６１に縫い付けて一体的に固定しているが、ずらす寸法（収納ポケットの高さ）を自由に変えられるように面ファスナーなどで、着脱自在に固定してもよい。
【００３１】
なお、本実施形態において、補助基布６２は芯材入りの例を示しているが、芯材は必ずしもなくてもよい。芯材入りの場合は、図示しないが、補助基布６２の背面部にも収納ポケットを設けることができる。この場合、交換用のティッシュボックスを１箱縦方向に収納する交換ティッシュポケットを設けておくと、体の不自由な人でも比較的簡単にティッシュボックスを交換することができる。その交換ティッシュポケットは、ティッシュボックスの頭（上側端部）が、補助基布６２と同じ高さか、少し突出する高さになるような位置で収納されるような深さに設定すると、交換用のティッシュボックスを取り出しやすくなる。
【００３２】
ティッシュボックス収納体６６は、中に市販のティッシュボックスが収納できるように袋状にすることが考えられるが、本実施形態では、図１３に示すように、１枚の部材で、ティッシュボックスを下側から包み込むようにして巻いていく方式にしている。巻終わりは、端部に面ファスナー６９が設けられていて、図１０に示すように基布６１の裏側に設けた面ファスナー７０に貼り付けるようになっている。取り出すときは、面ファスナー６９を剥がせば簡単に取り出せる。このように、ティッシュボックス収納体６６を１枚の部材で構成することにより、袋状のタイプに比べて製作が簡単であり、ティッシュの収納がやり易く、また、ティッシュボックスのサイズが少し異なっても対応することができる。
なお、本実施形態では、基布６１がヘッドボード１０の内側になるように取り付ける例を示しており、その場合はティッシュ取り出し口６７は水平方向に設けているが、基布６１がヘッドボード１０の外側で補助基布６２がベッドの内側になるように取り付ける場合は、ティッシュ取り出し口６７が上面になるように設ける。
以上、第６実施形態においては、基布６１の上端に対して補助基布６２の上端が低くなるように、補助基布６２を基布６１に止めることにより、収納ポケット６８−１〜６８−５の部分の高さおよびティッシュボックス収納体６６の高さを高くしている。これにより、ベッドの背上げの際に、ベッドの端の部分が収納ポケット６８−１〜６８−５および出っ張ったティッシュボックス収納体６６の部分に当たらないようにしている。これと同様な作用効果は、第１実施形態における基布１の吊り下げ用穴２の位置を低い位置に設け、基布１の上部をベッドのヘッドボードの上部よりも突出させることにより得ることができる。また、吊り下げ用穴２を設けず、基布１の裏面に直接取付金具を固定してもよい。さらに、第２実施形態において、縦ベルト１６の上部折り返しの位置が基布１の上部よりも下位の位置になるようにすることによっても、同様な作用効果を得ることができる。
【産業上の利用可能性】
【００３３】
本発明は、ポケットに重量の重い物を入れても基布が傾かず、ベッドに安定して取り付けることができ、ティッシュを取り出しやすく、また内容物を確認することのできるベッド用収納ポケットとして、有用に利用することができる。
【図面の簡単な説明】
【００３４】
【図１】本発明の第１実施形態の取付状態を示す斜視図である。
【図２】（ａ）は第１実施形態のベッド用収納ポケットの正面図、（ｂ）はその背面図である。
【図３】第１実施形態のベッド用収納ポケットをヘッドボードに取り付けた状態を示す断面図である。
【図４】第１実施形態のベッド用収納ポケットをベッドのパイプに取り付けた状態を示す断面図である。
【図５】本発明の第２実施形態を示すもので、（ａ）は正面図、（ｂ）は背面図、（ｃ）はベルト端部の着脱状態を示す背面側の要部斜視図である。
【図６】本発明の第５実施形態に係る取付金具の数例を示す斜視図である。
【図７】第５実施形態に係る取付金具によりベッドボードに取り付けられた基布の要部を示す斜視図である。
【図８】第５実施形態に係る取付金具によりベッドボードに取り付けられた基布の断面図である。
【図９】本発明の第６実施形態に係るベッド用収納ポケットを示す正面図である。
【図１０】第６実施形態に係るベッド用収納ポケットの背面図である。
【図１１】第６実施形態に係るベッド用収納ポケットの平面図である。
【図１２】第６実施形態に係るベッド用収納ポケットの側面図である。
【図１３】第６実施形態に係るティッシュボックス収納体の斜視図である。
【図１４】従来の入院ベッド用小物入れの例を示す斜視図である。
【符号の説明】
【００３５】
１  基布
２  吊り下げ用穴
３  ベルト通し穴
４  ティッシュボックス収納体
５  ティッシュ取り出し口
６  カバー
７−１〜７−５  ポケット
８  取付金具
９  ベルト
１０  ヘッドボード
１１  パイプ
１２  バンド
１３  横ベルト結合ベルト
１４  バックル
１４ａ  可動側バックル
１４ｂ  固定側バックル
１５  横ベルト
１６  縦ベルト
２０  取付金具
２１，２２  逆Ｕ字形部分
２３，２４  水平部
２５  連結部
３０  取付金具
３１，３２  逆Ｕ字形部分
３３，３４  逆Ｊ字形部分
３５  連結部
４０  取付金具
４１  連結部
４２  開口部
５０  吊り下げバンド
６１  基布
６２  補助基布
６３  固定バンド
６４，６５  面ファスナー
６６  ティッシュボックス収納体
６７  ティッシュ取り出し口
６８−１〜６８−５  各種ポケット
６９，７０  面ファスナー
【図２】
2005131368.tif 000003
【図３】
2005131368.tif 000004
【図４】
2005131368.tif 000005
【図５】
2005131368.tif 000006
【図６】
2005131368.tif 000007
【図７】
2005131368.tif 000008
【図８】
2005131368.tif 000009
【図９】
2005131368.tif 000010
【図１０】
2005131368.tif 000011
【図１１】
2005131368.tif 000012
【図１２】
2005131368.tif 000013
【図１３】
2005131368.tif 000014
【図１４】
2005131368.tif 000015
【図１】
2005131368.tif 000016